(57)【特許請求の範囲】
【請求項１】
通信端末装置に操作者が自己の希望により視聴することを目的として構成されたコンテンツデータを配信するデータ配信装置において、
通信端末装置にて表示出力または拡声出力の少なくとも何れか一方の出力態様によって出力されるコンテンツデータと、当該コンテンツデータにおける前記操作者による視聴回数に基づいて当該コンテンツデータが通信端末装置にて出力される際の出力特性を変化させる特性データとが予め記憶されたデータベースと、
前記通信端末装置における指示に基づいて、当該通信端末装置によって指定された前記コンテンツデータを当該通信端末装置に配信する第１配信手段と、
前記コンテンツデータが配信される通信端末装置に対して、当該配信されるコンテンツデータにおける前記特性データを配信する第２配信手段と、
を備えることを特徴とするデータ配信装置。
【請求項２】
請求項１に記載のデータ配信装置において、
前記データベースには、各コンテンツデータとして音データが記憶されているとともに、一の前記特性データとして前記通信端末装置にて音データが拡声出力される際の拡声に関する周波数特性を前記視聴回数に基づいて調整するための当該視聴回数に対応した複数の調整データが記憶されていることを特徴とするデータ配信装置。
【請求項３】
請求項１に記載のデータ配信装置において、
前記データベースには、各コンテンツデータとして通信端末装置に表示される画像を構成する画像構成データが記憶されているとともに、一の前記特性データとして前記通信端末装置にて画像構成データが表示出力される際の表示に関する特性を前記視聴回数に基づいて調整するための当該視聴回数に対応した複数の調整データが記憶されていることを特徴とするデータ配信装置。
【請求項４】
請求項１乃至３の何れか一項に記載のデータ配信装置において、
前記データベースには、各コンテンツデータ毎にかつ前記通信端末装置の種別毎に前記特性データが記憶されていることを特徴とするデータ配信装置。
【請求項５】
請求項４に記載のデータ配信装置において、
前記特性データを配信する際に、当該特性データが配信される通信端末装置の種別を判断する判断手段を更に備え、
前記第２配信手段が、前記判断された通信端末装置の種別に基づいて当該配信されるコンテンツデータにおける前記特性データを配信することを特徴とするデータ配信装置。
【請求項６】
通信端末装置に操作者が自己の希望により視聴することを目的として構成されたコンテンツデータを配信するデータ配信方法において、
データ配信装置に予め記憶された前記コンテンツデータであって、前記通信端末装置における指示に基づいて、当該通信端末装置にて表示出力または拡声出力の少なくとも何れか一方の出力態様によって出力されるコンテンツデータを当該通信端末装置に配信する第１配信工程と、
前記コンテンツデータが配信される通信端末装置に対して、前記各コンテンツデータ毎にデータ配信装置に予め記憶されたデータであって、当該コンテンツデータにおける前記操作者による視聴回数に基づいて当該コンテンツデータが通信端末装置にて出力される際の出力特性を変化させる特性データを配信する第２配信工程と、
を含むことを特徴とするデータ配信方法。
【請求項７】
通信端末装置に操作者が自己の希望により視聴することを目的として構成されたコンテンツデータを取得して表示出力または拡声出力の少なくとも何れか一方の出力態様によってデータ出力を行う通信端末装置であって、
前記コンテンツデータを配信するデータ配信装置から通信回線を介して当該コンテンツデータを取得する第１取得手段と、
前記コンテンツデータにおける前記操作者による視聴回数に基づいて当該コンテンツデータが通信端末装置にて出力される際の出力特性を変化させる特性データであって、当該通信端末装置にて表示される際の表示に関する表示特性または当該通信端末装置の拡声される際の拡声に関する周波数特性の何れか一方の出力特性を示す特性データを、前記取得されたコンテンツデータの出力態様に応じて取得する第２取得手段と、
前記取得したコンテンツデータを前記出力態様に応じて出力する出力制御手段と、
前記取得されたコンテンツデータを出力する際に、前記視聴回数および前記特性データに基づいて出力されるコンテンツデータにおける出力特性を調整する調整手段と、
を備えることを特徴とする通信端末装置。
【請求項８】
通信端末装置によって、操作者が自己の希望により視聴することを目的として構成されたコンテンツデータを取得して表示出力または拡声出力の少なくとも何れか一方の出力態様にてデータ出力を行うデータ出力プログラムであって、
前記通信端末装置を、
前記コンテンツデータと、当該コンテンツデータにおける前記操作者による視聴回数に基づいて当該コンテンツデータが通信端末装置にて出力される際の出力特性を変化させる特性データであって、当該通信端末装置にて表示される際の表示に関する表示特性または当該通信端末装置の拡声される際の拡声に関する周波数特性の何れか一方の出力特性を示す特性データと、を所定の記憶手段から取得する取得手段、
前記取得したコンテンツデータを前記出力態様に応じて出力する出力制御手段、
前記取得されたコンテンツデータを出力する際に、前記視聴回数および前記特性データに基づいて出力されるコンテンツデータにおける出力特性を調整する調整手段、
として機能させることを特徴とするデータ出力プログラム。
【発明の詳細な説明】
【技術分野】
【０００１】
本発明は、データを拡声出力または表示出力する機能を有する通信端末装置に対してデータを配信するデータ配信装置の分野に属する。
【背景技術】
【０００２】
近年、無線通信技術や種々の回路素子および表示装置の小型化など、周辺技術の発達に伴って、携帯用電話機などの通信端末装置が急速に普及している。また、これらの通信端末装置が普及するにつれて、当該通信端末装置を音データまたは動画像を含む画像データの再生機として用いることなど、音データまたは画像データに基づく種々の機能が拡張された通信端末装置も普及している。
【０００３】
一方、種々の機能が拡張された通信端末装置も普及するにあたり、当該通信端末装置に対して音データまたは画像データを提供するサービスおよびそれを行うデータ配信システムも登場し、最近では、再生する回数に基づいてコンテンツデータの再生を制御するコンテンツデータの配信方法も知られている（例えば、特許文献１）。
【特許文献１】特開２００１−４２８６６号公報
【発明の開示】
【発明が解決しようとする課題】
【０００４】
しかしながら、上述のようなコンテンツデータの配信方法にあっては、コンテンツデータの再生の可否を判断するのみであり、コンテンツデータの再生または表示に係る興趣性を向上させるためには用いていない。
【０００５】
本発明は、上記の課題の一例を解決するものとして、コンテンツデータの視聴回数に基づいて出力される当該コンテンツデータの出力特性を制御することによって、当該通信端末装置におけるコンテンツデータの出力に関する興趣性を向上させたデータ配信装置またはデータ配信方法を提供することを目的とする。
【課題を解決するための手段】
【０００６】
上記の課題を解決するために、請求項１に記載の発明は、通信端末装置に操作者が自己の希望により視聴することを目的として構成されたコンテンツデータを配信するデータ配信装置において、通信端末装置にて表示出力または拡声出力の少なくとも何れか一方の出力態様によって出力されるコンテンツデータと、当該コンテンツデータにおける前記操作者による視聴回数に基づいて当該コンテンツデータが通信端末装置にて出力される際の出力特性を変化させる特性データとが予め記憶されたデータベースと、前記通信端末装置における指示に基づいて、当該通信端末装置によって指定された前記コンテンツデータを当該通信端末装置に配信する第１配信手段と、前記コンテンツデータが配信される通信端末装置に対して、当該配信されるコンテンツデータにおける前記特性データを配信する第２配信手段と、を備える構成を有している。
【０００７】
この構成により、請求項１に記載の発明は、通信端末装置における指示に基づいて、当該通信端末装置によって指定されたコンテンツデータを当該通信端末装置に配信するとともに、コンテンツデータが配信される通信端末装置に対して、当該配信されるコンテンツデータにおける視聴回数に基づいて当該コンテンツデータが通信端末装置にて出力される際の出力特性を変化させる特性データを配信する。
【０００８】
したがって、請求項１に記載の発明は、コンテンツデータが出力される毎に出力特性が異なり、操作者は繰り返しコンテンツデータを出力させたとしても倦怠感を生じさせず、かつ、操作者に対して出力の変化に対する期待感を持たせることができるので、コンテンツデータの出力に対して興趣性を向上させることができる。
【０００９】
また、請求項２に記載の発明は、請求項１に記載のデータ配信装置において、前記データベースには、各コンテンツデータとして音データが記憶されているとともに、一の前記特性データとして前記通信端末装置にて音データが拡声出力される際の拡声に関する周波数特性を前記視聴回数に基づいて調整するための当該視聴回数に対応した複数の調整データが記憶されている構成を有している。
【００１０】
この構成により、請求項２に記載の発明は、音データが出力される毎に出力特性が異なり、操作者は繰り返し音データを出力させたとしても倦怠感を生じさせず、かつ、操作者に対して出力の変化に対する期待感を持たせることができるので、音データの出力に対して興趣性を向上させることができる。
【００１１】
また、請求項３に記載の発明は、請求項１に記載のデータ配信装置において、前記データベースには、各コンテンツデータとして通信端末装置に表示される画像を構成する画像構成データが記憶されているとともに、一の前記特性データとして前記通信端末装置にて画像構成データが表示出力される際の表示に関する特性を前記視聴回数に基づいて調整するための当該視聴回数に対応した複数の調整データが記憶されている構成を有している。
【００１２】
この構成により、請求項３に記載の発明は、画像データが出力される毎に出力特性が異なり、操作者は繰り返し画像データを出力させたとしても倦怠感を生じさせず、かつ、操作者に対して出力の変化に対する期待感を持たせることができるので、画像データの出力に対して興趣性を向上させることができる。
【００１３】
また、請求項４に記載の発明は、請求項１乃至３の何れか一項に記載のデータ配信装置において、前記データベースには、各コンテンツデータ毎にかつ前記通信端末装置の種別毎に前記特性データが記憶されている構成を有している。
【００１４】
この構成により、請求項４に記載の発明は、通信端末装置の種別毎に特性データを用意すれば、通信端末装置の種別毎にコンテンツデータを用意する必要もなく、種々の通信端末装置にて各コンテンツデータを的確に出力させることができるので、容易にかつ低コストにてコンテンツデータを配信することができる。
【００１５】
また、請求項５に記載の発明は、請求項４に記載のデータ配信装置において、前記特性データを配信する際に、当該特性データが配信される通信端末装置の種別を判断する判断手段を更に備え、前記第２配信手段が、前記判断された通信端末装置の種別に基づいて当該配信されるコンテンツデータにおける前記特性データを配信する構成を有している。
【００１６】
この構成により、請求項５に記載の発明は、特性データを配信する際に、当該特性データが配信される通信端末装置の種別を判断するとともに、判断された通信端末装置の種別に基づいて当該配信されるコンテンツデータにおける特性データを配信する。
【００１７】
したがって、請求項５に記載の発明は、コンテンツデータの配信指示を行う際に、通信端末装置のユーザにおける当該通信端末装置の種別の特定を行うための操作が不要となるので、当該ユーザのコンテンツデータの配信時における煩雑さを解消させることができる。
【００１８】
また、請求項６に記載の発明は、通信端末装置に操作者が自己の希望により視聴することを目的として構成されたコンテンツデータを配信するデータ配信方法において、データ配信装置に予め記憶された前記コンテンツデータであって、前記通信端末装置における指示に基づいて、当該通信端末装置にて表示出力または拡声出力の少なくとも何れか一方の出力態様によって出力されるコンテンツデータを当該通信端末装置に配信する第１配信工程と、前記コンテンツデータが配信される通信端末装置に対して、前記各コンテンツデータ毎にデータ配信装置に予め記憶されたデータであって、当該コンテンツデータにおける前記操作者による視聴回数に基づいて当該コンテンツデータが通信端末装置にて出力される際の出力特性を変化させる特性データを配信する第２配信工程と、を含む構成を有している。
【００１９】
この構成により、請求項６に記載の発明は、通信端末装置における指示に基づいて、当該通信端末装置によって指定されたコンテンツデータを当該通信端末装置に配信するとともに、コンテンツデータが配信される通信端末装置に対して、当該配信されるコンテンツデータにおける視聴回数に基づいて当該コンテンツデータが通信端末装置にて出力される際の出力特性を変化させる特性データを配信する。
【００２０】
したがって、請求項６に記載の発明は、コンテンツデータが出力される毎に出力特性が異なり、操作者は繰り返しコンテンツデータを出力させたとしても倦怠感を生じさせず、かつ、操作者に対して出力の変化に対する期待感を持たせることができるので、コンテンツデータの出力に対して興趣性を向上させることができる。
【００２１】
また、請求項７に記載の発明は、通信端末装置に操作者が自己の希望により視聴することを目的として構成されたコンテンツデータを取得して表示出力または拡声出力の少なくとも何れか一方の出力態様によってデータ出力を行う通信端末装置であって、前記コンテンツデータを配信するデータ配信装置から通信回線を介して当該コンテンツデータを取得する第１取得手段と、前記コンテンツデータにおける前記操作者による視聴回数に基づいて当該コンテンツデータが通信端末装置にて出力される際の出力特性を変化させる特性データであって、当該通信端末装置にて表示される際の表示に関する表示特性または当該通信端末装置の拡声される際の拡声に関する周波数特性の何れか一方の出力特性を示す特性データを、前記取得されたコンテンツデータの出力態様に応じて取得する第２取得手段と、前記取得したコンテンツデータを前記出力態様に応じて出力する出力制御手段と、前記取得されたコンテンツデータを出力する際に、前記視聴回数および前記特性データに基づいて出力されるコンテンツデータにおける出力特性を調整する調整手段と、を備える構成を有している。
【００２２】
この構成により、請求項７に記載の発明は、通信端末装置における指示に基づいて、コンテンツデータと、当該コンテンツデータにおける視聴回数に基づいて当該コンテンツデータが出力する際の出力特性を変化させる特性データを取得するととともに、取得されたコンテンツデータを出力する際に、視聴回数および特性データに基づいて出力されるコンテンツデータにおける出力特性を調整する。
【００２３】
したがって、請求項７に記載の発明は、コンテンツデータが出力される毎に出力特性が異なり、操作者は繰り返しコンテンツデータを出力させたとしても倦怠感を生じさせず、かつ、操作者に対して出力の変化に対する期待感を持たせることができるので、コンテンツデータの出力に対して興趣性を向上させることができる。
【００２４】
また、請求項８に記載の発明は、通信端末装置によって、操作者が自己の希望により視聴することを目的として構成されたコンテンツデータを取得して表示出力または拡声出力の少なくとも何れか一方の出力態様にてデータ出力を行うデータ出力プログラムであって、前記通信端末装置を、前記コンテンツデータと、当該コンテンツデータにおける前記操作者による視聴回数に基づいて当該コンテンツデータが通信端末装置にて出力される際の出力特性を変化させる特性データであって、当該通信端末装置にて表示される際の表示に関する表示特性または当該通信端末装置の拡声される際の拡声に関する周波数特性の何れか一方の出力特性を示す特性データと、を所定の記憶手段から取得する取得手段、前記取得したコンテンツデータを前記出力態様に応じて出力する出力制御手段、前記取得されたコンテンツデータを出力する際に、前記視聴回数および前記特性データに基づいて出力されるコンテンツデータにおける出力特性を調整する調整手段、として機能させる構成を有している。
【００２５】
この構成により、請求項８に記載の発明は、コンテンツデータと、当該コンテンツデータにおける視聴回数に基づいて当該コンテンツデータが出力する際の出力特性を変化させる特性データを取得するととともに、取得されたコンテンツデータを出力する際に、視聴回数および特性データに基づいて出力されるコンテンツデータにおける出力特性を調整する。
【００２６】
したがって、請求項８に記載の発明は、コンテンツデータが出力される毎に出力特性が異なり、操作者は繰り返しコンテンツデータを出力させたとしても倦怠感を生じさせず、かつ、操作者に対して出力の変化に対する期待感を持たせることができるので、コンテンツデータの出力に対して興趣性を向上させることができる。
【発明の効果】
【００２７】
本願発明は、コンテンツデータが出力される毎に出力特性が異なり、操作者は繰り返しコンテンツデータを出力させたとしても倦怠感を生じさせず、かつ、操作者に対して出力の変化に対する期待感を持たせることができるので、コンテンツデータの出力に対して興趣性を向上させることができる。
【発明を実施するための最良の形態】
【００２８】
次に、本発明に好適な実施の形態について、図面に基づいて説明する。
【００２９】
以下に説明する実施の形態は、音データまたは動画像データのコンテンツデータの再生機能を有する携帯用電話機に対して当該コンテンツデータを配信するデータ配信システムまたはデータ配信サーバ装置に対して本願のデータ配信装置、データ配信方法および通信端末装置を適用した場合の実施形態である。
【００３０】
〔第１実施形態〕
はじめに、図１〜図６を用いてコンテンツデータを携帯用電話機に配信するデータ配信システムの第１実施形態について説明する。
【００３１】
まず、図１を用いて本実施形態のデータ配信システムの構成および当該データ配信システムを構成する装置の概略動作について説明する。
【００３２】
なお、本実施形態のデータ配信システムの構成を示すブロック図である。また、本実施形態では、コンテンツデータとして音データを用いるとともに、特性データとして当該音データの拡声される際の周波数特性を示すデータを用いて説明する。
【００３３】
本実施形態のデータ配信システムＳは、図１に示すように、操作者が自己の希望により視聴することを目的として構成された音データを再生して拡声する複数の携帯用電話機１００と、任意の場所に固定設置され、音データを携帯用電話機１００に配信するデータ配信サーバ装置（以下、単に「サーバ装置」という。）３００と、から構成される。
【００３４】
本実施形態の各携帯用電話機１００は、他の電話機との通話を行う際の着信音として、または、電子メールなどの他の通信端末装置と通信を行う際の着信音として予め設定された着信メロディなどの音データを拡声すること、および、サーバ装置３００等から取得した楽音（楽曲）などの音データを視聴目的にて拡声することができるようになっている。
【００３５】
また、この携帯用電話機１００は、インターネットと移動パケット通信網から構成されるネットワークＮに中継交換局ＢＳを介して接続され、サーバ装置３００と通信回線を確立するようになっており、音データと、当該音データが拡声される際に視聴する回数（以下、「視聴回数」という。）に基づいて当該音データの周波数特性を調整するための複数の調整データを有する特性データと、をサーバ装置３００から取得するようになっている。
【００３６】
そして、この携帯用電話機１００は、取得した音データを再生する際には、音データの視聴回数と当該音データとともに取得した特性データに基づいて、当該音データの周波数特性を調整し、当該携帯用電話機１００に設けられた拡声用のスピーカによって楽音などの音を拡声するようになっている。
【００３７】
次に、図２を用いて本実施形態における携帯用電話機１００の構成について説明する。なお、図２は、本実施形態における携帯用電話機１００の構成を示す構成図である。
【００３８】
本実施形態の携帯用電話機１００は、図２に示すように、図示しないアンテナを介して他の通信端末装置またはサーバ装置３００との通信を行う電話機用通信制御部１１０と、所定のサーバ装置３００から取得された音データおよび特性データが格納されるデータ格納部１２０と、着信時にまたは操作者の操作に基づいて予め格納された音データを再生し、オーディオデータを出力するデータ再生部１３０と、出力されたオーディオデータに対して特性データに基づく周波数特性の調整、音信号への変換などの音処理（以下、「ＤＳＰ（Digital Signal Processor）処理」という。）を行うＤＳＰ処理部１４０と、変換された音信号の信号レベルを増幅し、呼出音拡声用のスピーカ（以下、「呼出音拡声用スピーカ」という。）ＳＰ１に出力する電力増幅器１５０と、を備えている。
【００３９】
また、この携帯用電話機１００は、音データを再生する際の制御など各部を制御する電話機用システム制御部１６０と、各部を制御する際に用いられるＲＯＭ／ＲＡＭ１７０と、各種の操作を行う操作部１８０と、操作部１８０と連動しつつ各種の表示を行う表示部１９０と、当該表示部１９０の表示制御を行う表示制御部２００と、他の電話機との通話を行う際に音声が入力されるマイクロホンＭと、入力された音声を所定の信号に処理する音声処理部２１０と、通話時に受話音声を受話用スピーカＳＰ２に出力するための受話制御部２２０と、を備えている。
【００４０】
なお、本実施形態の電話機用通信制御部１１０は、本発明の第１取得手段および第２取得手段を構成し、データ再生部１３０は、本発明の出力制御手段を構成する。また、本実施形態のＤＳＰ処理部１４０は、本発明の調整手段を構成する。
【００４１】
電話機用通信制御部１１０は、図示しないアンテナを介してネットワークＮに接続されるようになっており、電話機用システム制御部１６０の制御の下、携帯用電話機１００などの他の通信端末装置またはサーバ装置３００との通信制御を行うようになっている。
【００４２】
特に、本実施形態の電話機用通信制御部１１０は、操作者の指示に基づいて、サーバ装置３００からＭＩＤＩ（Musical Instrument Digital Interface）フォーマット、ＳＭＡＦ（Synthetic Music Mobile Application Format）またはＭＬＤ形式などの所定形式を有する音データを取得するようになっている。
【００４３】
また、この電話機用通信制御部１１０は、音データが拡声出力される際の拡声に関する周波数特性を視聴回数に基づいて調整するための調整データであって、当該視聴回数に対応した複数の調整データを有する特性データを各コンテンツデータ毎に取得するようになっており、各コンテンツデータと特性データをそれぞれ対応付けてデータ格納部１２０に格納するようになっている。
【００４４】
一方、この電話機用通信制御部１１０は、サーバ装置３００と通信を行うことによって音データを取得する際に、当該通信端末装置の種別を判断させるとともに当該通信端末装置に該当する特性データを送信させるために、当該通信端末装置の機種を示す種別情報または当該機種を示す情報が含まれるユーザＩＤ（以下、「ＵＩＤ」ともいう。）と呼ばれる識別情報をサーバ装置３００に送信するようになっている。
【００４５】
データ格納部１２０には、サーバ装置３００から取得した視聴目的または着信音として拡声する音データと当該音データにおける特性データが対応付けられて格納されるとともに、各音データに対応付けて当該音データが再生される毎にその回数、すなわち、視聴回数が視聴回数データとして格納されるようになっている。
【００４６】
なお、このデータ格納部１２０には、上述の音データおよび特性データの他に、他の通信端末装置の所有者の名称を示す氏名、通称名などの名称情報毎に、電話番号を示す電話番号情報、メールアドレスの情報（以下、「アドレス情報」という。）などの種々の情報が格納されるようになっている。
【００４７】
データ再生部１３０は、他の電話機に基づく着信が生じた際に、または、操作者の指示に基づいて、電話機用システム制御部１６０の制御の下、データ格納部１２０に格納されている音データを読み出し、呼出音拡声用スピーカＳＰ１から拡声するために、オーディオデータを生成してＤＳＰ処理部１４０に出力するようになっている。
【００４８】
具体的には、データ再生部１３０は、所定の形式の音データをデコードし、所定形式の制御データ、または、当該制御データおよびＰＣＭ音源などの音源データに変換し、当該制御データに基づいて、音階、音色またはテンポなどが予め規定されている各種の音源データまたはデコードされた音源データを用いてオーディオデータを生成して出力するようになっている。
【００４９】
なお、本実施形態の呼出拡声用スピーカＳＰ１は、着信音の拡声の他に、視聴目的によって拡声される音データについても拡声を行うようになっている。
【００５０】
ＤＳＰ処理部１４０は、主に中央演算処理装置（ＣＰＵ）によって構成され、データ再生部１３０から出力されたオーディオデータに対して種々の音処理その他の処理を行うようになっている。具体的には、このＤＳＰ処理部１４０は、データ再生部１３０から出力されたオーディオデータに対して遅延処理および周波数特性の調整処理などの音処理を行うとともに、デジタル信号をアナログ信号に変換するデジタル／アナログ（以下、「Ｄ／Ａ」という。）変換処理を行うようになっており、Ｄ／Ａ変換処理されたアナログ信号を音信号として電力増幅器１５０に出力するようになっている。
【００５１】
特に、このＤＳＰ処理部１４０は、拡声すべきオーディオデータの周波数特性の調整に関しては、電話機用システム制御部１６０の制御の下、当該音データの特性データおよび視聴回数に基づいて、周波数特性を調整する際の調整値が設定されるようになっており、当該設定され調整値に基づいて、予め定められた周波数帯域毎の信号レベルを調整するようになっている。
【００５２】
例えば、本実施形態のＤＳＰ処理部１４０は、周波数特性の調整するためのイコライザ機能として、６バンド、すなわち、５００Ｈｚ、１ｋＨｚ、２ｋＨｚ、４ｋＨｚ、８ｋＨｚおよび１６ｋＨｚの各周波数を中心周波数とする周波数帯域毎に信号レベルを調整するようになっている。また、このＤＳＰ処理部１４０は、後述するように、電話機用システム制御部１６０の制御の下、音データを再生する際に当該音データの特性データおよび視聴回数に基づいて、各周波数帯域毎に、「０」ｄＢを基準として信号レベル値が設定されるとともに、音データが拡声される際に入力されたオーディオデータを周波数帯域毎に当該設定された信号レベルに増幅して電力増幅器１５０に出力するようになっている。
【００５３】
電力増幅器１５０には、ＤＳＰ処理された音信号が入力されるようになっており、この電力増幅器１５０は、電話機用システム制御部１６０の制御の下、操作部１８０よって指定された音量の指示に基づいて音信号の信号レベルを増幅し、増幅された音信号を呼出音拡声用スピーカＳＰ１に出力するようになっている。
【００５４】
電話機用システム制御部１６０は、主に中央演算処理装置（ＣＰＵ）によって構成されるとともに、バスＢによって各部と接続されており、携帯用電話機１００の全般的な機能を総括的に制御するようになっている。
【００５５】
具体的には、このシステム制御部は、通話機能、通信機能などの携帯用電話機１００全体の動作を制御する際に、ＲＯＭ／ＲＡＭ１７０に格納される制御プログラムを読み出して各処理を実行し、当該ＲＯＭ／ＲＡＭ１７０に処理中のデータを一時的に保持するようになっている。
【００５６】
特に、この電話機用システム制御部１６０は、音データおよび特性データをサーバ装置３００から取得する際に、操作部１８０の指示に基づいて、操作者が所望する音データおよび特性データを電話機用通信制御部１１０に取得させ、当該取得させた音データおよび特性データを対応付けてデータ格納部１２０に格納させるようになっている。
【００５７】
また、この電話機用システム制御部１６０は、音データを拡声する毎に、データ格納部１２０に格納さている当該音データの視聴回数データを更新するとともに、当該音データを拡声すする際に、視聴回数データと当該音データに対応付けられている特性データに基づいて、ＤＳＰ処理部１４０に周波数帯域毎の信号レベルの調整するための所定の調整値を設定し、再生を行う再生処理を行うようになっている。
【００５８】
例えば、本実施形態の電話機用システム制御部１６０は、再生処理としては、視聴回数データに基づいて、当該特性データに含まれる当該視聴回数に対応する調整データをデータ格納部１２０から読み出し、当該読み出した調整データに基づいて、ＤＳＰ処理部１４０において予め定められた周波数帯域毎の調整値を設定するようになっている。
【００５９】
操作部１８０は、各操作指令を入力する操作ボタン、テンキーおよびその他の数字キーなど、多数のキーにより構成されている。本実施形態の操作部１８０は、通話または着信における種々の操作を行うときに用いられるとともに、音データをサーバ装置３００から取得する際および音データを拡声する際に用いられるようになっている。
【００６０】
表示部１９０は、液晶素子またはＥＬ（Electro Luminescence）素子によって構成され、表示制御部２００にて生成された表示データに基づいて所定の画像を表示するようになっている。
【００６１】
表示制御部２００は、電話機用システム制御部１６０の制御の下、他の電話機との通話を行う際に、または、他の通信端末装置と通信を行う際に表示部１９０に種々の画像を表示するための表示データを生成するようになっている。
【００６２】
音声処理部２１０は、電話機用システム制御部１６０の制御の下、他の電話機との通話を行う際に、マイクロホンＭを介して入力された送話する音声に対して所定の処理を行い、電話機用通信制御部１１０を介して通話先に送話音声をデータとして送信するようになっている。
【００６３】
受話制御部２２０は、システム制御部の制御の下、他の電話機との通話を行う際に、受話音声を受話用スピーカＳＰ２に拡声させるようになっている。
【００６４】
次に、図３を用いて本実施形態のおけるサーバ装置３００の構成について説明する。なお、図３は、本実施形態におけるサーバ装置３００の構成を示す構成図である。
【００６５】
本実施形態のサーバ装置３００は、図２に示すように、ネットワークＮを介して携帯用電話機１００とデータ通信を行サーバ用通信制御部３１０と、音データおよび各音データにおける特性データが記憶されるサーバ用データベース３２０と、音データを配信する際に配信先の携帯用電話機１００の種別を判断する種別判断部３３０と、各部の制御を行うサーバ用システム制御部３４０と、から構成されている。
【００６６】
なお、例えば、本実施形態のサーバ用通信制御部３１０は、本発明の第１配信手段および第２配信手段を構成し、サーバ用データベース３２０は、本発明のデータベースを構成する。また、例えば、本実施形態の種別判断部３３０は、本発明の判断手段を構成する。
【００６７】
サーバ用通信制御部３１０は、ネットワークＮに接続されるようになっており、サーバ用システム制御部３４０の制御の下、携帯用電話機１００との通信回線を確立し、音データまたは特性データのデータ配信および当該データ配信に関する通信制御を行うようになっている。
【００６８】
具体的には、このサーバ用通信制御部３１０は、携帯用電話機１００からの指示に基づいて、サーバ用データベース３２０に記憶されている音データの一覧を示すデータ（以下、「一覧表データ」という。）、当該通信端末装置によって指定された音データ、および、配信する音データにおける特性データを取得し、当該各取得したデータを携帯用電話機１００に送信するようになっている。
【００６９】
サーバ用データベース３２０は、各音データと、各音データにおける各携帯用電話機１００の種別に対応付けられた特性データを格納するためのデータベースであり、サーバ用システム制御部３４０の制御の下、サーバ用通信制御部３１０の指示に基づいて、格納されている音データの一覧表データ、該当する音データおよび当該音データにおける特性データを抽出してサーバ用通信制御部３１０に出力するようになっている。特に、本実施形態のデータベースには、各特性データとしては、視聴回数に基づいた複数の調整データを有するデータが格納されている。
【００７０】
種別判断部３３０は、音データを携帯用電話機１００に配信する際に、携帯用電話機１００からの種別情報または識別情報に基づいて、当該携帯用電話機１００の種別を判断するようになっており、判断された種別をサーバ用システム制御部３４０に通知するようになっている。
【００７１】
具体的には、種別判断部３３０は、携帯用電話機１００の機種を示す種別情報、または、当該携帯用電話機１００の機種を示す情報が含まれた識別情報に基づいて、当該携帯用電話機１００の種別を判断するようになっており、判断された機種における特性データを音データとともに携帯用電話機１００に配信されるように、当該判断された種別をサーバ用システム制御部３４０に通知するようになっている。
【００７２】
サーバ用システム制御部３４０は、例えば、ＣＰＵ、ＲＯＭ／ＲＡＭ１７０およびハードディスクを有し、サーバ装置３００の各部を制御するようになっている。特に、ＲＯＭには、サーバ装置３００の各部を制御するための各種制御情報が記録されると共に、ハードディスクには、制御プログラムやＯＳ（Operating System）などの各種プログラムが記録されている。また、ＣＰＵは、ハードディスクに記録されたプログラムを実行することにより、各種の処理を実行し、ＲＡＭはワークエリアとして用いられるようになっている。
【００７３】
次に、図４および図５を用いて本実施形態のデータ配信システムＳにおける音データの配信に係る携帯用電話機１００およびサーバ装置３００の処理について説明する。なお、図４および図５は、本実施形態の携帯用電話機１００およびサーバ装置３００において音データを配信する際の送信処理および受信処理の動作を示すフローチャートである。
【００７４】
以下の説明では、携帯用電話機１００において、サーバ装置３００に記憶されている複数の音データの中から一の音データを特定させて受信させる際の動作として説明する。また、サーバ装置３００におけるサーバ用データベース３２０には複数の音データが記憶されているものとする。
【００７５】
まず、携帯用電話機１００において、操作者が操作部１８０を介して音データをサーバ装置３００から取得するための要求指示（以下、「データ取得指示」という。）が入力されると、電話機用システム制御部１６０は、当該データ取得指示を検出し（ステップＳ１０１）、電話機用通信制御部１１０にサーバ装置３００との通信回線の確立をするための要求指示（以下、「確立要求」という。）をサーバ装置３００に送信させ、サーバ装置３００から送信される通信回線の確立の確認を示す情報（以下、「確認情報」という。）を受信するまで待機させる（ステップＳ１０２）。
【００７６】
このとき、サーバ装置３００においては、サーバ用通信制御部３１０が携帯用電話機１００から送信された確立要求を受信すると（ステップＳ２０１）、サーバ用システム制御部３４０は、サーバ用通信制御部３１０に、確立要求を送信した携帯用電話機１００との認証その他の処理を行うとともに、確認情報を携帯用電話機１００に送信させる（ステップＳ２０２）。
【００７７】
次いで、サーバ用システム制御部３４０は、サーバ用通信制御部３１０に携帯用電話機１００との通信回線を確立させるとともに、サーバ用データベース３２０に記憶されている音データの一覧を示す一覧表データを生成し、生成された一覧表データを携帯用電話機１００に送信する（ステップＳ２０３）。
【００７８】
なお、サーバ用システム制御部３４０は、サーバ用通信制御部３１０が携帯用電話機１００から送信された音データの配信要求を受信するまで動作を待機させる。
【００７９】
一方、携帯用電話機１００においては、電話機用通信制御部１１０がサーバ装置３００から送信された確認情報を受信すると（ステップＳ１０３）、電話機用システム制御部１６０は、電話機用通信制御部１１０にサーバ装置３００との通信回線を確立させて、一覧表データが受信されるまで待機させる（ステップＳ１０４）。
【００８０】
次いで、電話機用通信制御部１１０が一覧表データを受信すると（ステップＳ１０５）、電話機用システム制御部１６０は、表示制御部２００を制御して表示部１９０に受信した一覧表データを表示させ、操作者における音データの特定指示、すなわち、一の音データにおける選択が入力されるまで待機する（ステップＳ１０６）。
【００８１】
次いで、操作部１８０を介して表示されている一覧表データから一の音データが選択され、電話機用システム制御部１６０が音データの特定指示を検出すると（ステップＳ１０７）、当該電話機用システム制御部１６０は、電話機用通信制御部１１０に特定された音データの配信要求をサーバ装置３００に送信させ、音データが受信されるまで待機させる（ステップＳ１０８）。
【００８２】
このとき、サーバ装置３００においては、サーバ用通信制御部３１０が携帯用電話機１００から送信された配信要求を受信すると（ステップＳ２０４）、当該サーバ用システム制御部３４０は、サーバ用通信制御部３１０に、配信要求によって示された音データをサーバ用データベース３２０から読み出させるとともに（ステップＳ２０５）、読み出させた音データを携帯用電話機１００に送信させ、特性データにおける送信指示が受信されるまで待機させる（ステップＳ２０６）。
【００８３】
他方、通信端末装置においては、電話機用通信制御部１１０が音データを受信すると（ステップＳ１０９）、電話機用システム制御部１６０は、電話機用通信制御部１１０に受信した音データをデータ格納部１２０に格納させる（ステップＳ１１０）。
【００８４】
次いで、電話機用システム制御部１６０は、電話機用通信制御部１１０に当該携帯用電話機１００における種別を示す種別情報とともに特性データを送信させるための送信要求をサーバ装置３００に送信させ、特性データが受信されるまで待機させる（ステップＳ１１１）。
【００８５】
このとき、サーバ装置３００においては、サーバ用通信制御部３１０が特性データの送信要求を受信すると（ステップＳ２０７）、サーバ用システム制御部３４０は、種別判断部３３０に送信要求とともに送信された種別情報に基づいて携帯用電話機１００の種別を判断させる（ステップＳ２０８）。
【００８６】
次いで、サーバ用システム制御部３４０は、種別判断部３３０によって判断された携帯用電話機１００の種別に基づいて当該種別に該当する複数の調整データを有する特性データを、サーバ用通信制御部３１０を介して携帯用電話機１００に送信させる（ステップＳ２０９）。
【００８７】
そして、サーバ用システム制御部３４０は、特性データの送信後、サーバ用通信制御部３１０に携帯用電話機１００との通信回線を切断させ（ステップＳ２１０）、送信処理を終了させる。
【００８８】
また、携帯用電話機１００においては、電話機用通信制御部１１０が特性データを受信すると（ステップＳ１１２）、電話機用システム制御部１６０は、電話機用通信制御部１１０にサーバ装置３００との通信回線を切断させるとともに、受信した特性データをデータ格納部１２０にステップＳ１１０の処理において記憶した音データに対応付けて記憶させ（ステップＳ１１３）、本動作を終了させる。
【００８９】
なお、携帯用電話機１００は、ステップＳ１１３の処理において、動作を終了させずに、以下の再生処理を実行するようにしてもよい。
【００９０】
次に、図６を用いて本実施形態の携帯用電話機１００における視聴回数に基づく再生処理について説明する。なお、図６は、本実施形態の携帯用電話機１００における視聴回数に基づく再生処理の動作を示すフローチャートである。
【００９１】
以下の説明では、データ格納部１２０には、上述の受信処理によって既に複数の音データが特性データとともに格納されているものとする。
【００９２】
まず、電話機用システム制御部１６０が、操作部１８０を介して操作者の再生指示を検出すると（ステップＳ１１）、電話機用システム制御部１６０は、表示制御部２００を制御してデータ格納部１２０に既に格納されている音データの一覧を示す一覧表データを生成するとともに、生成された一覧表データを、表示制御部２００を制御して表示部１９０に表示させ、操作者における音データの特定指示、すなわち、一の音データにおける選択が入力されるまで待機する（ステップＳ１２）。
【００９３】
次いで、操作部１８０を介して表示されている一覧表データから一の音データが選択され、電話機用システム制御部１６０が音データの特定指示を検出すると（ステップＳ１３）、電話機用システム制御部１６０は、該当する音データに対応する視聴回数データをデータ格納部１２０から読み出して当該音データの視聴回数を認識する（ステップＳ１４）。
【００９４】
次いで、電話機用システム制御部１６０は、当該読み出した視聴回数データによって示される視聴回数に「１」を加算して当該視聴回数データを更新する（ステップＳ１５）。
【００９５】
次いで、電話機用システム制御部１６０は、認識した視聴回数データに基づいて当該音データにおける特性データから視聴回数に対応する調整データを読み出してＤＳＰ処理部１４０に各周波数帯域毎の信号レベルを設定する（ステップＳ１６）。
【００９６】
最後に、電話機用システム制御部１６０は、データ再生部１３０にデータ格納部１２０から該当する音データを読み出させつつ当該音データの再生を開始させ（ステップＳ１７）、本動作を終了させる。
【００９７】
なお、データ再生部１３０は、音データの再生が開始されると、音データの読み出しが終了するまで、当該音データの再生を行い、当該音データの読み出しが終了すると当該音データの再生を終了する。
【００９８】
以上本実施形態のデータ配信システムＳは、携帯用電話機１００における指示に基づいて、当該携帯用電話機１００によって指定されたコンテンツデータとしての音データを当該携帯用電話機１００に配信するとともに、音データが配信される携帯用電話機１００に対して、当該配信される音データにおける視聴回数に基づいて当該音データが携帯用電話機１００にて出力される際の出力特性を変化させる特性データを配信する。
【００９９】
したがって、このデータ配信システムＳは、コンテンツデータとしての音データが出力される毎に出力特性が異なり、操作者は繰り返しコンテンツデータを出力させたとしても倦怠感を生じさせず、かつ、操作者に対して出力の変化に対する期待感を持たせることができるので、コンテンツデータの出力に対して興趣性を向上させることができる。
【０１００】
また、本実施形態のデータ配信システムＳは、通信端末装置の種別毎に特性データを配信することによって、通信端末装置の種別毎にコンテンツデータを用意する必要もなく、種々の通信端末装置にて各コンテンツデータを的確に出力させることができるので、容易にかつ低コストにてコンテンツデータを配信することができる。
【０１０１】
また、本実施形態のデータ配信システムＳは、特性データを配信する際に、当該特性データが配信される携帯用電話機１００の種別を判断するとともに、判断された携帯用電話機１００の種別に基づいて当該配信される音データにおける特性データを配信する。
【０１０２】
したがって、本実施形態のデータ配信システムＳは、音データの配信指示を行う際に、通信端末装置のユーザにおける当該通信端末装置の種別の特定を行うための操作が不要となるので、当該ユーザの音データの配信時における煩雑さを解消させることができる。
【０１０３】
なお、本実施形態では、ＤＳＰ処理部１４０において拡声されるべき音データの周波数特性を調整するようになっているが、勿論、当該音データを音信号に変換した後に、音信号に対して周波数特性を調整するようにしてもよい。
【０１０４】
また、本実施形態では、携帯用電話機１００を用いて説明しているが、勿論、音データの送受信および拡声が可能な通信端末装置であれば本発明を適用することができる。
【０１０５】
また、本実施形態の受信表示処理および送信処理では、コンテンツデータとして音データが送受信された後に特性データが送受信されるようになっているが、音データが送受信される前に、携帯用電話機１００の種別を判別して特性データを送受信するようにしてもよい。
【０１０６】
また、本実施形態の携帯用電話機１００は、上述のように、音データの再生処理を行うようになっているが、当該携帯用電話機１００にコンピュータおよび記録媒体を備えるとともに、この再生処理を実行する制御プログラムを記録媒体に格納し、このコンピュータで当該各制御プログラムを記録媒体から読み込むことによって上述と同様の再生処理を行うようにしてもよい。
【０１０７】
〔第２実施形態〕
次に、図６および図７を用いてコンテンツデータを携帯用電話機１００に配信するデータ配信システムＳの第２実施形態について説明する。
【０１０８】
本実施形態のデータ配信システムＳは、第１実施形態において、音データを配信し、当該配信された音データを特性データに基づいて拡声する点に代えて、動画像データを含む画像データを配信し、当該配信された画像データを特性データに基づいて表示する点に特徴があり、その他の構成は、第１実施形態と同様であるため、同一部材には同一の番号を付してその説明を省略する。
【０１０９】
また、本実施形態における送信処理および受信処理は、第１実施形態における送信処理および受信処理と送受信されるデータの種別が異なるだけでその他の処理は同一であるため、本実施形態における送信処理および受信処理の説明は省略する。
【０１１０】
まず、本実施形態の携帯用電話機１００における特徴的な部材の構成について説明する。
【０１１１】
本実施形態の電話機用通信制御部１１０は、操作者の指示に基づいて、サーバ装置３００からＪＰＥＧ（Joint Photographic Coding Experts Group）形式、ＧＩＦ（Graphics Interchange Format）形式、ＰＮＧ（Portable Network Graphics）形式、ＢＭＰ（Bit MaP）形式、ＭＰＥＧ−２（Moving Picture Coding Experts Group Layer-2）形式、ＭＰＥＧ−４（Moving Picture Coding Experts Group Layer-4）形式などの所定形式を有する画像データを取得するようになっている。
【０１１２】
また、この電話機用通信制御部１１０は、当該画像データを表示する際における画像特性および出力特性を視聴回数に基づいて調整するためのデータであって、当該視聴回数に対応した複数の調整データを有する特性データを各コンテンツデータ毎に取得するようになっており、各コンテンツデータと特性データをそれぞれ対応付けてデータ格納部１２０に格納するようになっている。
【０１１３】
一方、この電話機用通信制御部１１０は、第１実施形態と同様に、サーバ装置３００と通信を行うことによって音データを取得する際に、当該通信端末装置の種別を判断させるとともに当該通信端末装置に該当する特性データを送信させるために、当該通信端末装置の種別情報または識別情報を示すＵＩＤをサーバ装置３００に送信するようになっている。
【０１１４】
なお、本実施形態のサーバ装置３００におけるサーバ用データベース３２０には、所定形式を有する複数の画像データが特性データとともに記憶されており、本実施形態のデータ格納部１２０には、第１実施形態における音データと同様に、画像データと当該画像データにおける特性データとが対応付けて記憶されている。
【０１１５】
本実施形態の表示制御部２００は、電話機用システム制御部１６０の制御の下、他の電話機との通話や他の通信端末装置と通信を行う際に、または、視聴を行うために構成された画像データを再生する際に、表示部１９０に種々の画像を表示するための表示データを生成するようになっている。
【０１１６】
特に、本実施形態の表示制御部２００は、表示すべき画像データの出力特性の調整に関しては、電話機用システム制御部１６０の制御の下、画像データを再生する際に当該画像データの特性データおよび視聴回数に基づいて、出力特性を調整する際の調整値が設定されるようになっており、当該設定され調整値に基づいて、表示データを生成するようになっている。
【０１１７】
例えば、本実施形態の表示制御部２００は、表示される画像の輝度の特性を示す輝度特性、当該表示される画像の明度を示すコントラスト、当該表示される画像の解像度を示す画質特性（シャープネス）、画像の階調応答特性における数値補正を行うためのγ補正値などの各画像特性を調整するとともに、表示部１９０に表示可能なサイズを示す画像サイズ（フレームサイズ）、１秒間の画面更新量を示すフレームレート、ピクセル数および画像表示における縦横の回転制御など各画像の出力特性を調整するようになっており、後述するように、電話機用システム制御部１６０の制御の下、画像データを再生する際に当該音データの特性データおよび視聴回数に基づいて、各特性の調整値が設定されるようになっている。
【０１１８】
また、この表示制御部２００は、画像データが再生される際に当該各調整値によって表示データを生成して電力増幅器１５０に出力するようになっている。なお、例えば、本実施形態における表示制御部２００は、本発明の調整手段を構成する。
【０１１９】
次に、図７を用いて本実施形態の携帯用電話機１００における視聴回数に基づく再生処理について説明する。なお、図７は、本実施形態の携帯用電話機１００における視聴回数に基づく再生処理の動作を示すフローチャートである。
【０１２０】
以下の説明では、データ格納部１２０には、上述の受信処理によって既に複数の画像データが特性データとともに格納されているものとする。
【０１２１】
まず、電話機用システム制御部１６０が、操作部１８０を介して操作者の表示指示を検出すると（ステップＳ２１）、電話機用システム制御部１６０は、表示制御部２００を制御してデータ格納部１２０に既に格納されている画像データの一覧を示す一覧表データを生成するとともに、生成された一覧表データを、表示制御部２００を制御して表示部１９０に表示させ、操作者における画像データの特定指示、すなわち、一の画像データにおける選択が入力されるまで待機する（ステップＳ２２）。
【０１２２】
次いで、操作部１８０を介して表示されている一覧表データから一の画像データが選択され、電話機用システム制御部１６０が画像データの特定指示を検出すると（ステップＳ２３）、電話機用システム制御部１６０は、該当する画像データに対応する視聴回数データをデータ格納部１２０から読み出して当該画像データの視聴回数を認識する（ステップＳ２４）。
【０１２３】
次いで、電話機用システム制御部１６０は、当該読み出した視聴回数データによって示される視聴回数に「１」を加算して当該視聴回数データを更新する（ステップＳ２５）。
【０１２４】
次いで、電話機用システム制御部１６０は、認識した視聴回数データに基づいて当該画像データにおける特性データから視聴回数に対応する調整データを読み出して表示制御に各調整値を設定する（ステップＳ２６）。
【０１２５】
最後に、電話機用システム制御部１６０は、表示制御部２００にデータ格納部１２０から該当する画像データを読み出して表示データを生成させるとともに、表示部１９０に表示データに基づいて画像を表示させ（ステップＳ２７）、本動作を終了させる。
【０１２６】
なお、本実施形態において動画像データの場合には、ステップＳ２７の処理にて動画像データの再生が開始され、表示制御部２００は、動画像データの再生が開始されると、動画像データの読み出しが終了するまで、当該動画像データの再生を行い、当該動画像データの読み出しが終了すると当該動画像データの再生を終了する。
【０１２７】
以上本実施形態のデータ配信システムＳは、携帯用電話機１００における指示に基づいて、当該携帯用電話機１００によって指定されたコンテンツデータとしての画像データを当該携帯用電話機１００に配信するとともに、画像データが配信される携帯用電話機１００に対して、当該配信される画像データにおける視聴回数に基づいて当該画像データが携帯用電話機１００にて出力される際の出力特性を変化させる特性データを配信する。
【０１２８】
したがって、このデータ配信システムＳは、第１実施形態と同様に、コンテンツデータとしての画像データが出力される毎に出力特性が異なり、操作者は繰り返しコンテンツデータを出力させたとしても倦怠感を生じさせず、かつ、操作者に対して出力の変化に対する期待感を持たせることができるので、コンテンツデータの出力に対して興趣性を向上させることができる。
【０１２９】
また、本実施形態のデータ配信システムＳは、通信端末装置の種別毎に特性データを配信し、通信端末装置の種別毎にコンテンツデータを用意する必要もなく、種々の通信端末装置にて各コンテンツデータを的確に出力させることができるので、容易にかつ低コストにてコンテンツデータを配信することができる。
【０１３０】
また、本実施形態のデータ配信システムＳは、特性データを配信する際に、当該特性データが配信される携帯用電話機１００の種別を判断するとともに、判断された携帯用電話機１００の種別に基づいて当該配信される画像データにおける特性データを配信する。
【０１３１】
したがって、本実施形態のデータ配信システムＳは、画像データの配信指示を行う際に、通信端末装置のユーザにおける当該通信端末装置の種別の特定を行うための操作が不要となるので、当該ユーザの画像データの配信時における煩雑さを解消させることができる。
【０１３２】
なお、本実施形態では、携帯用電話機１００を用いて説明しているが、勿論、画像データの送受信および表示が可能な通信端末装置であれば本発明を適用することができる。
【０１３３】
また、本実施形態の受信表示処理および送信処理では、コンテンツデータとして画像データが送受信された後に特性データが送受信されるようになっているが、画像データが送受信される前に、携帯用電話機１００の種別を判別して特性データを送受信するようにしてもよい。
【０１３４】
また、本実施形態の携帯用電話機１００は、上述のように、画像データの再生処理を行うようになっているが、当該携帯用電話機１００にコンピュータおよび記録媒体を備えるとともに、この再生処理を実行する制御プログラムを記録媒体に格納し、このコンピュータで当該各制御プログラムを記録媒体から読み込むことによって上述と同様の再生処理を行うようにしてもよい。
【図面の簡単な説明】
【０１３５】
【図１】第１実施形態のデータ配信システムの構成を示すブロック図である。
【図２】本願に係る携帯用電話機における第１実施形態の構成を示す構成図である。
【図３】本願に係るサーバ装置における第１実施形態の構成を示す構成図である。
【図４】第１実施形態の携帯用電話機およびサーバ装置において音データを配信する際の送信処理および受信拡声を行う受信拡声処理の動作を示すフローチャート（Ｉ）である。
【図５】第１実施形態の携帯用電話機およびサーバ装置において音データを配信する際の送信処理および受信拡声を行う受信拡声処理の動作を示すフローチャート（II）である。
【図６】第１実施形態の携帯用電話機における視聴回数に基づく再生処理の動作を示すフローチャートである。
【図７】第２実施形態の携帯用電話機における視聴回数に基づく再生処理の動作を示すフローチャートである。
【符号の説明】
【０１３６】
Ｓ  …  データ配信システム
１００  …  携帯用電話機
１１０  …  電話機用通信制御部
１２０  …  データ格納部
１３０  …  データ再生部
１４０  …  ＤＳＰ処理部
１５０  …  電力増幅器
１６０  …  システム制御部
１７０  …  ＲＯＭ／ＲＡＭ
１８０  …  操作部
１９０  …  表示部
２００  …  表示制御部
２１０  …  音声処理部
２２０  …  受話制御部
Ｍ  …  マイクロホン
ＳＰ１  …  呼出音拡声用スピーカ
ＳＰ２  …  受話用スピーカ
３００  …  サーバ装置
３１０  …  サーバ用通信制御部
３２０  …  サーバ用データベース
３３０  …  種別判断部
３４０  …  サーバ用システム制御部
【図１】
0004585421.tif 000002
【図２】
0004585421.tif 000003
【図３】
0004585421.tif 000004
【図４】
0004585421.tif 000005
【図５】
0004585421.tif 000006
【図６】
0004585421.tif 000007
【図７】
0004585421.tif 000008